(57)【要約】【課題】  既設のケーブルラックの横方向に余分なスペースがない場合であってもケーブルの増設が可能なケーブルラックの増設方法を提供する。【解決手段】  ケーブルを支持する第１ラック本体２と、該第１ラック本体２を躯体に支持する支持部材５とを備えたケーブルラックの増設方法であって、前記第１ラック本体２の上方又は下方の少なくとも何れか一方に、第２ラック本体１２を少なくとも一段に設け、該第２ラック本体１２を前記第１ラック本体２に連結手段１５を介して連結し、該第２ラック本体２に増設のケーブル４０を設置する。【選択図】  図２
2009171793.tif 000002
【特許請求の範囲】
【請求項１】
ケーブルを支持する第１ラック本体と、該第１ラック本体を躯体に支持する支持部材とを備えたケーブルラックの増設方法であって、
前記第１ラック本体の上方又は下方の少なくとも何れか一方に、第２ラック本体を少なくとも一段に設け、該第２ラック本体を前記第１ラック本体に連結手段を介して連結し、該第２ラック本体に増設のケーブルを設置することを特徴とするケーブルラックの増設方法。
【請求項２】
前記連結手段は、前記第１ラック本体に取り付けられる第１支持部材と、前記第２ラック本体に取り付けられる第２支持部材と、前記第１支持部材と前記第２支持部材とを連結する連結部材とを備えていることを特徴とする請求項１に記載のケーブルラックの増設方法。
【請求項３】
前記第１支持部材及び前記第２支持部材は、前記第１ラック本体及び前記第２ラック本体の少なくとも一部を囲むように、前記第１ラック本体及び前記第２ラック本体に取り付けられていることを特徴とする請求項２に記載のケーブルラックの増設方法。
【請求項４】
前記連結部材は、前記第１ラック本体と前記第２ラック本体との間隔を調整する調整機構を備えていることを特徴とする請求項２又は３に記載のケーブルラックの増設方法。
【請求項５】
前記調整機構は、ねじ軸と、該ねじ軸の両端部に螺着されるとともに、該ねじ軸に対する螺着位置の調整が可能な第１取付部及び第２取付部とを備え、
前記第１取付部が前記第１支持部材に連結され、前記第２取付部が前記第２支持部材に連結されていることを特徴とする請求項４に記載のケーブルラックの増設方法。
【発明の詳細な説明】
【技術分野】
【０００１】
本発明は、通信用ケーブル、配線用ケーブル等の各種のケーブルを支持するケーブルラックの増設方法に関する。
【背景技術】
【０００２】
携帯基地局や各種の工場等に設置される設備等に使用される通信用ケーブル、配線用ケーブル等のケーブルは、設備等の運転に支障をきたさないようにするため、局舎や工場等の構造物の天井部等にケーブルラックを介して敷設されている。
【０００３】
ケーブルラックの一例として、特許文献１には、一対の側板と、両側板間に架け渡される複数の連結体とを備えたケーブルラックが記載されている。このケーブルラックは、吊下金具によって構造物の天井部等に設置され、連結体の上部にケーブルを載置させることで、ケーブルを構造物の天井部等に敷設している。
【０００４】
また、ケーブルラックの他の例として、特許文献２には、一対の親桁と、両親桁間に架け渡される複数の子桁とを備えたケーブルラックが記載されている。このケーブルラックも、特許文献１に記載のケーブルラックと同様に、吊下金具を介して構造物の天井部等に設置され、横桁の上部にケーブルを載置させることで、ケーブルを構造物の天井部等に敷設している。
【特許文献１】実開平７−２６６２２号公報
【特許文献２】特開２０００−５０４５１号公報
【発明の開示】
【発明が解決しようとする課題】
【０００５】
ところで、上記のような構成のケーブルラックにあっては、設備等の増設に伴ってケーブルを増設する必要が生じた場合に、（１）既設のケーブルラックの横方向に増設のケーブルラックを並設する、（２）既設のケーブルの上部に増設のケーブルを無理に積み上げる、（３）増設するケーブルを拘束バンドによって吊金具に拘束する等の方法を採っている。
【０００６】
しかし、（１）の方法では、既設のケーブルラックの横方向に余分なスペースがない場合には増設することが困難になる。また、（２）、（３）の方法では、既設のケーブルラックの横方法に余分なスペースがなくても増設は可能であるが、（２）の方法では、既設のケーブルと増設のケーブルとが干渉して損傷する虞がある。さらに、（３）の方法では、振動等によって拘束バンドと接触しているケーブルの部分が損傷する虞がある。
【０００７】
本発明は、上記のような従来の問題に鑑みなされたものであって、既設のケーブルラックの横方向に余分なスペースを必要とすることなく、また、ケーブルを損傷させることなく増設することが可能なケーブルラックの増設方法を提供することを目的とする。
【課題を解決するための手段】
【０００８】
本発明は、上記のような課題を解決するために、以下のような手段を採用している。
すなわち、請求項１に係る発明は、ケーブルを支持する第１ラック本体と、該第１ラック本体を躯体に支持する支持部材とを備えたケーブルラックの増設方法であって、前記第１ラック本体の上方又は下方の少なくとも何れか一方に、第２ラック本体を少なくとも一段に設け、該第２ラック本体を前記第１ラック本体に連結手段を介して連結し、該第２ラック本体に増設のケーブルを設置することを特徴とする。
【０００９】
本発明によるケーブルラックの増設方法によれば、設備の増設に伴ってケーブルを増設する場合に、第１ラック本体の上方又は下方の少なくとも何れか一方に第２ラック本体を設け、この第２ラック本体を第１ラック本体に連結手段を介して連結することで、第１ラック本体の上方又は下方の少なくとも何れか一方に増設のケーブルを設置する第２ラック本体を設置することができるので、第１ラック本体の横方向に余分なスペースがない場合であっても第２ラック本体を設置して、第２ラック本体に増設のケーブルを設置することができる。また、既設のケーブルの上部に無理に増設のケーブルを積み上げたり、第１ラック本体を躯体に支持している支持部材に増設のケーブルを拘束バンドによって拘束したりする必要がないので、既設のケーブル及び増設のケーブルが損傷する虞はない。
【００１０】
請求項２に係る発明は、請求項１に記載のケーブルラックの増設方法であって、前記連結手段は、前記第１ラック本体に取り付けられる第１支持部材と、前記第２ラック本体に取り付けられる第２支持部材と、前記第１支持部材と前記第２支持部材とを連結する連結部材とを備えていることを特徴とする。
【００１１】
本発明によるケーブルラックの増設方法によれば、第１ラック本体に第１支持部材と取り付け、第２ラック本体に第２支持部材を取り付け、第１支持部材と第２支持部材とを連結部材によって連結することで、第１ラック本体の上方又は下方に第２ラック本体を設置することができる。
【００１２】
請求項３に係る発明は、請求項２に記載のケーブルラックの増設方法であって、前記第１支持部材及び前記第２支持部材は、前記第１ラック本体及び前記第２ラック本体の少なくとも一部を囲むように、前記第１ラック本体及び前記第２ラック本体に取り付けられていることを特徴とする。
【００１３】
本発明によるケーブルラックの増設方法によれば、第１支持部材及び第２支持部材は、第１ラック本体及び第２ラック本体の少なくとも一部を囲むように、第１ラック本体及び第２ラック本体に取り付けられることになる。
【００１４】
請求項４に係る発明は、請求項２又は３に記載のケーブルラックの増設方法であって、前記連結部材は、前記第１ラック本体と前記第２ラック本体との間隔を調整する調整機構を備えていることを特徴とする。
【００１５】
本発明によるケーブルラックの増設方法によれば、連結部材の調整機構によって第１ラック本体と第２ラック本体との間隔を調整することができる。
【００１６】
請求項５に係る発明は、請求項４に記載のケーブルラックの増設方法であって、前記調整機構は、ねじ軸と、該ねじ軸の両端部に螺着されるとともに、該ねじ軸に対する螺着位置の調整が可能な第１取付部及び第２取付部とを備え、前記第１取付部が前記第１支持部材に連結され、前記第２取付部が前記第２支持部材に連結されていることを特徴とする。
【００１７】
本発明によるケーブルラックの増設方法によれば、ねじ軸に対する第１取付部及び第２取付部の螺着位置を調整することにより、第１ラック本体と第２ラック本体との間隔を調整することができる。
【発明の効果】
【００１８】
以上、説明したように、本発明によれば、携帯基地局や各種の工場等の設備の増設に伴って通信ケーブルや配線ケーブル等のケーブルを増設する場合に、第１ラック本体の上方又は下方の少なくとも何れか一方に第２ラック本体を設けて、この第２ラック本体を第１ラック本体に連結手段を介して連結することで、第１ラック本体の上方又は下方の少なくとも何れか一方に第２のラック本体を設置し、この第２ラック本体に増設のケーブルを設置することができる。従って、第１ラック本体の横方向に余分なスペースがない場合であっても、第１ラック本体の上方又は下方のスペースを利用して第２ラック本体を設置し、第２ラック本体によって増設のケーブルを支持することができるので、スペースが限られた箇所でも十分にケーブルの増設が可能となる。また、既設のケーブルの上部に無理に増設のケーブルを積み上げたり、第１ラック本体を躯体に支持している支持部材に増設のケーブルを拘束バンドによって拘束したりする必要がないので、既設のケーブル及び増設のケーブルが損傷する虞はない。
【００１９】
また、第１ラック本体に第１支持部材を取り付け、第２ラック本体に第２支持部材を取り付け、第１支持部材と第２支持部材とを連結部材によって連結することで、第１ラック本体の上方又は下方に第２ラック本体を設置することができるので、第２ラック本体の設置を容易に行うことができる。
【００２０】
さらに、第１支持部材及び第２支持部材は、第１ラック本体及び第２ラック本体の少なくとも一部を囲むように、第１ラック本体及び第２ラック本体に取り付けられるので、第１支持部材及び第２支持部材が第１ラック本体及び第２ラック本体から外れるのを防止できる。
【００２１】
さらに、連結部材の調整機構によって第１ラック本体と第２ラック本体との間隔を調整することができるので、第１ラック本体の上方又は下方のスペースの大きさに応じて第１ラック本体と第２ラック本体との間隔を調整することにより、増設するケーブルの本数に応じて、第１ラック本体の上方又は下方に第２ラック本体を１段又は２段以上に設置することが可能となり、増設するケーブルの本数に応じた数の第２ラック本体を設置することが可能となる。
【００２２】
さらに、ねじ軸に対する第１取付部及び第２取付部の螺着位置を調整することにより、第１ラック本体と第２ラック本体との間隔を調整することができるので、第１ラック本体と第２ラック本体との間隔を容易に調整することが可能となる。
【発明を実施するための最良の形態】
【００２３】
以下、図面を参照しながら本発明の実施の形態について説明する。
図１〜図３には、本発明によるケーブルラックの増設方法の第１実施の形態が示されていて、図１は全体を示す斜視図、図２は図１の横断面図、図３は図１の部分拡大図である。
【００２４】
すなわち、本実施の形態のケーブルラックの増設方法は、携帯基地局や各種の工場等に設置される設備に使用される通信用ケーブル、配線用ケーブル等のケーブルの敷設に用いられるケーブルラックの増設に適用したものであって、既設のケーブルラックの横方向に余分なスペースがない場合であっても増設することが可能な方法である。
【００２５】
既設のケーブルラック（以下、「第１ケーブルラック１」という。）は、図１及び図２に示すように、例えば、既設のラック本体（以下、第１ラック本体２）という。）と、第１ラック本体２を携帯基地局や各種の工場等の構造物の躯体の天井部等（本実施の形態では天井部）に支持する支持部材５とを備え、第１ラック本体２に通信ケーブル、配線用ケーブル等の既設のケーブル１０が設置されている。
【００２６】
支持部材５は、例えば、第１ラック本体２の下部に設けられて、第１ラック本体２を支持する支持板６と、支持板６を天井部に吊設するねじ棒７とを備えた吊金具５であって、複数の吊金具５によって第１ラック本体２が躯体の天井部に支持されている。
【００２７】
第１ラック本体２は、一対の帯板状の縦桁３、３と、両縦桁３、３間に所定の間隔ごとに架け渡される複数の帯板状の横桁４とからなる梯子状をなすものであって、各横桁４は、その両端が各縦桁３に溶接等によって一体に連結されている。
【００２８】
第１ラック本体２は、躯体の壁に沿うように躯体の天井部に吊金具５によって水平に支持され、この第１ラック本体２の横桁４の上部に複数本の既設のケーブル１０が複数段に重ねられた状態で載置されている。
【００２９】
各縦桁３の高さ方向の両端には、帯板状の第１フランジ部３ａ及び第２フランジ部３ｂが一体に設けられ、この第１フランジ部３ａ及び第２フランジ部３ｂによって各縦桁３の強度が高められている。
【００３０】
増設のケーブルラック（以下、「第２ケーブルラック１１」という。）は、第１ラック本体２と同様に、一対の帯板状の縦桁３、３と、両縦桁３、３間に所定の間隔ごとに架け渡される複数の帯板状の横桁４とからなる梯子状をなす増設のラック本体（以下、「第２ラック本体１２」という。）と、第２ラック本体１２を第１ラック本体２に連結する連結手段１５とを備えている。
【００３１】
第２ラック本体１２の各縦桁３の高さ方向の両端には、第１ラック本体２と同様に、第１フランジ部３ａ及び第２フランジ部３ｂが一体に設けられ、この第１フランジ部３ａ及び第２フランジ部３ｂによって各縦桁３の強度が高められている。
【００３２】
連結手段１５は、第１ラック本体２に取り付けられる第１支持部材１６と、第２ラック本体１２に取り付けられる第２支持部材１８と、第１支持部材１６と第２支持部材１８とを連結する連結部材３０とを備えている。
【００３３】
第１支持部材１６及び第２支持部材１８は、第１ラック本体２及び第２ラック本体１２の各縦桁３を外側から囲むように各縦桁３に取り付けられる断面略コ形状の本体部１７と、本体部１７を各縦桁３に固定するボルト２６とナット２７とからなるねじ締結体２５とを備え、本体部１７を各縦桁３に被嵌させた状態でねじ締結体２５のボルト２６とナット２７を締め付けることにより、各縦桁３に一体に取り付けられる。
【００３４】
連結部材３０は、ねじ軸３１と、ねじ軸３１の両端部に螺着されるとともに、ねじ軸３１に対する螺着位置の調整が可能な第１取付部３３及び第２取付部３４とを備え、第１取付部３３が第１支持部材１６の側面に一体に連結され、第２取付部３４が第２支持部材１８の側面に一体に連結されている。
【００３５】
ねじ軸３１の中央には六角ナット状の操作部３１ａが設けられ、操作部３１ａの上下のねじ軸３１はねじれの方向が逆に形成され、この上下のねじ軸３１に対応した方向に第１取付部３３及び第２取付部３４のねじが形成され、これにより、操作部３１ａを所定方向に回転させると、第１取付部３３及び第２取付部３４が操作部３１ａに引き寄せられ、又は操作部３１ａから離間することになる。
【００３６】
連結部材３０のねじ軸３１と第１取付部３３と第２取付部３４とにより調整機構３５が構成され、この調整機構３５の第１取付部３３及び第２取付部３４のねじ軸３１に対する螺着位置を調整することにより、第１ラック本体２と第２ラック本体１２との間隔を調整することができる。
【００３７】
図３に示すように、ねじ軸３１には目盛り３２が付されており、左右の調整機構３５の目盛り３２を合わせるように、左右の調整機構３５のねじ軸３１に対する第１取付部３３及び第２取付部３４の螺着位置を調整することにより、第１ラック本体２の上方又は下方に第２ラック本体１２を平行に設置することができる。
【００３８】
そして、設備の増設に伴ってケーブルを増設する必要が生じた場合には、上記のように構成した第２ケーブルラック１１の第２ラック本体１２を第１ケーブルラック１の第１ラック本体２の上方又は下方（本実施の形態では上方）に設け、第２ラック本体１２を連結手段１５によって第１ラック本体２に連結し、第１ラック本体２の上方に所定の間隔をおいて第２ラック本体１２を設置し、この第２ラック本体１２に増設のケーブル４０を設置すればよいことになる。
【００３９】
この場合、増設のケーブル４０の本数に応じて第１ラック本体２の上方に第２ラック本体１２を１段又は複数段に設置することにより、１段又は複数段の第２ラック本体１２に増設のケーブル４０を設置することができる。
【００４０】
従って、第１ケーブルラック１の横方向に余分なスペースがない場合でも、第１ラック本体２の上方又は下方のスペースを利用して第２ラック本体１２を設置することができるので、スペースに余裕がない箇所であっても設備の増設に伴ってケーブルを増設することが可能となる。また、既設のケーブル１０の上部に増設のケーブル４０を無理に積重ねたり、第１ラック本体２を天井部に支持している吊金具５に増設のケーブル４０を拘束バンドによって拘束したりする必要がないので、既設のケーブル１０や増設のケーブル４０が損傷等する虞もない。
【００４１】
図４及び図５には、本発明によるケーブルラックの増設方法の第２の実施の形態が示されていて、このケーブルラックの増設方法は、第１ラック本体２に取り付けられる第１支持部材１６、及び第２ラック本体１２に取り付けられる第２支持部材１８の本体部１７を、第１ラック本体２及び第２ラック本体１２を上下方向から挟持する一対の支持板１９、１９と、両支持板１９、１９の両端部間を連結するねじ軸２１とナット２２とからなるねじ締結体２０とによって構成し、さらに、第１支持部材１６の上側の支持板１９と第２支持部材１２の下側の支持板１９との間を連結部材３０によって連結したものであって、その他の構成は前記第１の実施の形態に示すものと同様である。
【００４２】
第１支持部材１６及び第２支持部材１８の上下の一対の支持板１９、１９には、それぞれ第１ラック本体２及び第２ラック本体１２の各縦桁３の横方向への移動を規制するストッパー部２３が設けられている。
【００４３】
そして、本実施の形態によるケーブルラックの増設方法にあっても、前記第１の実施の形態に示すものと同様に、第１ケーブルラック１の横方向に余分なスペースがない場合でも、第１ラック本体２の上方又は下方のスペースを利用して第２ラック本体１２を設置することができるので、スペースに余裕がない箇所であっても設備の増設に伴ってケーブルを増設することが可能となる。また、既設のケーブル１０の上部に増設のケーブル４０を無理に積重ねたり、第１ラック本体２を天井部に支持している吊金具５に増設のケーブル４０を拘束バンドによって拘束したりする必要がないので、既設のケーブル１０や増設のケーブル４０が損傷等する虞もない。
【００４４】
なお、前記の説明においては、第１ラック本体２の上方に第２ラック本体１２を設置した例について説明したが、第１ラック本体２の下方に第２ラック本体１２を設置してもよいものであり、その場合にも同様の作用効果を奏する。
【００４５】
また、前記の説明においては、一対の縦桁３、３と、両縦桁３、３間に架け渡される複数の横桁４からなる第１ラック本体２及び第２ラック本体１２を用いたが、その他の各種の形状のラック本体に適用してもよいものであり、その場合にも同様の作用効果を奏する。
【図面の簡単な説明】
【００４６】
【図１】本発明によるケーブルラックの増設方法の第１の実施の形態を示した斜視図である。
【図２】図１の横断面図である。
【図３】図１の部分拡大図である。
【図４】本発明によるケーブルラックの増設方法の第２の実施の形態を示した斜視図である。
【図５】図４の横断面図である。
【符号の説明】
【００４７】
１  第１ケーブルラック
２  第１ラック本体
３  縦桁
３ａ  第１フランジ部
３ｂ  第２フランジ部
４  横桁
５  支持部材（吊金具）
６  支持板
７  ねじ棒
１０  既設のケーブル
１１  第２ケーブルラック
１２  第２ラック本体
１５  連結手段
１６  第１支持部材
１７  本体部
１８  第２支持部材
１９  支持板
２０  ねじ締結体
２１  ねじ軸
２２  ナット
２３  ストッパー部
２５  ねじ締結体
２６  ボルト
２７  ナット
３０  連結部材
３１  ねじ軸
３１ａ  操作部
３２  目盛り
３３  第１取付部
３４  第２取付部
３５  調整機構
４０  増設のケーブル
【図１】
2009171793.tif 000003
【図２】
2009171793.tif 000004
【図３】
2009171793.tif 000005
【図４】
2009171793.tif 000006
【図５】
2009171793.tif 000007